(57)【特許請求の範囲】
【請求項１】
固定金具を介して壁面に一定間隔で溝付支柱を設置し、当該溝付支柱間の壁面に数センチ厚の植栽マット体を密着固定し、前記溝付支柱と前記植栽マット体の上をさらに数センチ厚の植栽マット体で密着固定し、壁面に植栽マット体二層による植栽基盤土層を形成し、この基盤土層表面に雨水受部、貯水室、後面板に複数の連通溝が設けられた植栽容器を植生基盤土層越しに固定するとともに壁面上部の天場に雨水受容器を設置する組合せにより防潮堤等の壁面を緑化することを特徴とする防潮堤面の緑化システム。
【請求項２】
溝付支柱は、合成樹脂、プラスチック、金属製の何れかの材質からなり、底部となる部分には一定間隔で傾斜型流通溝が設けられたことを特徴とする請求工１記載の防潮堤面の緑化システム。
【請求項３】
植栽容器内から植栽基盤土層に水・植物根を通す連通溝を設けたことを特徴とする請求工１記載の防潮堤面の緑化システム。
【請求項４】
壁面に一定間隔で溝付支柱を設置し、当該溝付支柱間の壁面に数センチ厚の植栽マット体を密着固定し、前記溝付支柱と前記植栽マット体の上をさらに数センチ厚の植栽マット体で密着固定し、壁面に植栽マット体二層による植栽基盤土層を形成し、この基盤土層表面に雨水受部、貯水室、後面板に複数の連通溝が設けられた植栽容器を植生基盤土層越しに固定するとともに壁面上部の天場に雨水受容器を設置する組合せにより防潮堤等の壁面を緑化することを特徴とする防潮堤面の緑化方法。
【発明の詳細な説明】
【技術分野】
【０００１】
本発明は、海岸沿いにそそり立つコンクリート等で形成された防潮堤面に対する緑化に関するものである。
【背景技術】
【０００２】
高潮や津波による災害防除を図るために、海岸沿いには傾斜堤、緩傾斜堤、直立堤、混成堤のいずれかによる防潮堤が構築されているが周囲の環境と調和せず、地域景観上好ましいものとは言えない、特に垂直状に形成されている直立堤型の防潮堤は、直射日光を反射させ周囲の気温を上昇させるとともに市街地においては、ヒートアンランド現象の一因ともなっている。
【０００３】
そこで、これを解消するために直立防潮堤の下部地面に蔦苗を植付け、外壁面に若干の間隔を置いて張設したネットに蔦を這わせ、外壁面を緑化するといった方法が取られているが直立防潮堤下部の地面から植付けた蔦が外壁面を緑化するには、複数年の年月がかかるとともに部分的にしか緑化が進まないという問題点があった。
【０００４】
そこで、上記の問題点を解消する方法として擁壁面に培養土収容用の植栽ポケットを設けるとともに、前記擁壁面に植栽固定部材を固着し、前記植栽ポケットに樹木を植栽し、当該樹木の大枝を擁壁面に沿わせ、平面的に広げた状態に曲げて、前記固定部材に固定して擁壁面を緑化する特許文献１やコンクリート等の防潮堤面に、山砂と保水剤と腐葉土とセメント系接着剤とからなる下層基盤を重ね、前記下層基盤表面に保水剤と腐葉土とセメント系接着剤とからなる上層基盤を重ね、前記上層基盤に植物を植栽または播種して外壁面の緑化を図る特許文献２の工法等が開示されている。
【０００５】
しかし、特許文献１の工法には、植栽された樹木の幹や枝の部分を壁面に沿わせ、広げた状態で固定部材に針金等の結束材で結束固定されるため、植栽木の生長に伴い結束部分が首絞め状態となり風雪時の風圧や雪の重みで結束部分から折れやすい問題点や植栽木が枯れた場合に植え替えに手間が係る問題点がある。
【０００６】
また、特許文献２の工法は、外壁面へ網を張らず大型機械を用いて直接壁面に１０センチ厚の基盤材を吹付、さらにその上に３〜５センチ厚の基盤材を吹付、外壁面に植生基盤土層を形成して緑化を図る方法なので、施工費が嵩むほかに外壁面の勾配が急な所では、植生基盤土が流失・滑落してしまう恐れが高く、急勾配な外壁面での施工には問題点がある。
【先行技術文献】
【特許文献】
【０００７】
【特許文献１】特開平９    −４１４０５号広報
【特許文献２】特開２００４−３６０９５号広報
【発明の概要】
【発明が解決しようとする課題】
【０００８】
急勾配なコンクリート等の防潮堤面でも宿根草や低木等の植栽が可能な緑化装置で早期緑化と長期的緑化が図られ、地域環境の景観向上が図られる防潮堤面の緑化システムの提供。
【課題を解決するための手段】
【０００９】
固定金具を介して防潮壁面に一定間隔で溝付支柱を設置し、当該溝付支柱間の壁面に３〜５センチ厚の植栽マット体を密着固定し、前記溝付支柱と前記植栽マット体の上に２センチ厚の植栽マット体を密着固定し、壁面に植栽マット体二層による植栽基盤土層を形成し、この植栽基盤土層表面に雨水受部、貯水室、後面部に植栽マット体と植栽容器内の用土が密着する連通溝が設けられた植栽容器を前記溝付支柱を介して前記植生基盤土層に固定され、壁面上部の天場には雨水受容器が設置され、壁面の植生基盤土層に給水するように配置される防潮堤面の緑化システム。
【００１０】
なお、植栽マット体の植生基盤土層越しから溝付支柱に固着される植栽容器は、表面の傾斜状板が多くの雨水を取り入れ可能に植栽容器の上部から数センチ長くはみ出る長さで雨水受部が形成され、底部には貯水室、後面部には植栽マット体に余剰水を給水するとともに植物根が植栽容器から植栽基盤土層に伸長可能とする複数の連通溝が形成されている植栽容器が固定され、それにより植栽容器内の用土と防潮堤面の植栽マット体の植栽基盤土が一体化され緑化が図られる。また、前記植栽容器は腐蝕しにくい樹脂製やアクリル製板で形成され、階段状に設置される植栽容器に植栽される植栽植物が上部の植栽容器につかえることがないように直角三角形状に形成されている。
【発明の効果】
【００１１】
植栽基盤土層を植栽マット体で形成することにより、豪雨や霜柱等で基盤土が流失することもなく、長期に渡り基盤土の保持を可能とし、植栽容器に植栽された苗木等は、植栽容器に形成された雨水受部や貯水室からの吸水により生育に必要な水分が確保され、やがて生育に伴い植栽室から植生基盤土層に植物根が伸張することにより、新たな水分確保と強風等による飛散や倒木といったことも防止され、植栽植物が長期に渡り生育可能となる防潮堤面の緑化が図られる壁面緑化システムである。
【図面の簡単な説明】
【００１２】
【図１】溝付支柱の設置状況を示す説明図である。
【図２】溝付支柱間隔内に一層目の植栽マット体を固着した状態を示す説明図である。
【図３】二層目の植栽マット体を固着した状態を示す説明図である。
【図４】植栽容器の表面を示す斜視図である。
【図５】植栽容器の後面を示す斜視図である。
【図６】植栽容器の内部を示す斜視図である。
【図７】防潮堤面に緑化システムを設置した状態を示す説明図である。
【図８】本発明の防潮堤面緑化の一実施例図である。
【発明を実施するための形態】
【００１３】
以下、図面を参照して本発明の具体的な実施形態を詳述する。
【実施例】
【００１４】
図１は、防潮堤面緑化において緑化の基盤となる植生基盤土層と植栽容器を固定する溝付支柱を示したものである。この溝付支柱は、巾４センチ×高さ３センチを標準とし、加工がしやすく腐食しにくい合成樹脂角材が使用されているが、これに限らず腐食しにくいプラスチックや金属製等を用いても良い。溝付支柱１の底部面となる面部には、隣接する植生基盤土層に植物根の伸長と水分の流入を可能とする斜線状の傾斜型流通溝２が数十センチ間隔で形成されており、植栽植物の長期生育を可能としている。
【００１５】
傾斜型流通溝が形成された溝付支柱１は、防潮堤面３に数十センチ間隔で配置し、山型止金具４にて当該溝付支柱を左右から挟み込み、本体打込式のコンクリート・アンカープラグ５と全ネジボルト６とワッシャー付ナット７にて防潮堤面に当該溝付支柱を垂直に固定する。なお、前記全ネジボルト６は溝付支柱を固定する他に溝付支柱間に配置される植栽マット体をも固定するので、配置される植栽マット体の厚さより十数ミリ長い全ネジボルトを用いる。また、左右端部に形成された溝付支柱を固定する山型止金具の外周側は、支柱のみの固定となるので全ネジボルトを使用せず、頭部に締付部を形成したボルトで締付固定する。
【００１６】
図２は、防潮堤面に設置された複数の溝付支柱の間に溝付支柱高と同じ３センチ厚の植栽マット体８を配置し、図１で設置された全ネジボルト６に植栽マット体８を押し当て突刺して貫通させ、ワッシャーとナット７にて全ネジボルト６に締付、防潮堤面３に植生基盤土となる植栽マット体８を固着して下層基盤土層を形成する。なお、溝付支柱間に設置される植栽マット体はいずれも腐食しにくく植物の芽や根を通し、基盤土が流出しにくい材質で形成されており、下部からポリエチレン製ラッセルネット、ポリエチレン製平織ネット、ポリエステル製不織布の順に重ねて底部を形成し、当該ポリエステル製不織布の上に植生基盤土（ココピート、水苔、バーク堆肥、ピートモス、黒土の混合土に有機肥料、遅効性肥料を添加した人工土壌）を６センチ厚で敷き詰め、圧縮して３センチ厚の植栽基盤土に形成し、この基盤土の上に下からポリエステル製不織布、ポリエチレン製平織ネットの順に重ね上部を形成し、底部と上部が一体化し、植生基盤土のマット体内移動を抑え、構造体を堅持するように縦横所定間隔で縫製して腐食しにくい３センチ厚の植栽マット体とする。
【００１７】
図３は、溝付支柱と下層基盤土層を形成した３センチ厚の植栽マット体８の表面部を２センチ厚の植栽マット体９で覆い、溝付支柱部１に任意間隔でワッシャー付固定ネジ１０を用いて前記２センチ厚の植栽マット体９を固着して二層目の植生基盤土層を形成する。なお、二層目の植栽マット体は、下層の植栽マット体とほぼ同じ資材であるが、植物根が下層の植栽マット体８に伸長可能とするために、植生基盤土を包んでいるシート下部のポリエチレン製ラッセルネットを除いて形成された植栽マット体を二層目の植栽マット体９とし、下層の植栽マット体と合わせて５センチ厚の植栽基盤土層が防潮堤面に形成される。
【００１８】
図４は、図１〜図３で形成された溝付支柱と植栽基盤土層表面に固着される植栽容器を示したものである。この植栽容器１１は、長さ９０センチ、巾１０センチ、高さ２０センチを標準とし、腐食しにくい合成樹脂板やアクリル板等で直角三角形型の箱型植栽容器１１で、傾斜状の表面部板１２は植栽容器の上部より数センチはみ出る高さの雨水受部１３が形成され、雨水をより多く植栽容器や植栽基盤土層に取り入れることが出来、植栽植物が自然水での長期緑化を可能としている植栽容器１１である。
【００１９】
図５は、図４の植栽容器を後面側から示したものである。垂直に形成される後面板１４には、植栽容器の長さで数センチ幅の連通溝１５が複数形成され、この連通溝部分から植栽マット体の植栽基盤土層側に植栽容器内から余剰水の流水や植栽植物根の伸長を可能とする連通溝を設けた植栽容器１１の後面部である。なお、後面板に形成される連通溝は、植物根が伸長可能な１〜３センチ幅とする。
【００２０】
図６は、図４の植栽容器の内部を示すものである。植栽容器の内部は、シーリング材にて継ぎ目がコーティングされ、底から３〜５センチの高さで貯水室が形成される。この貯水室には、水の保持が可能な軽石１６を敷き並べ、軽石の上部を覆うように水を通し基盤土を通さないポリエステル製不織布の吸水シート１７を敷設し、この上に植生基盤土が積層される植栽容器１１である。
【００２１】
図７は、図２〜図３で防潮堤面に形成された植生基盤土層の植栽マット体に図４〜図６で形成された植栽容器を任意間隔で密着させ、２センチ厚の植栽マット体９越しに植栽容器１１を溝付支柱部１に固定し、防潮堤面３に植栽基盤土層の植栽マット体と植栽容器を固定する。また、植栽容器が形成された防潮堤の天場部分に雨水を集水する雨水受容器１８が設置され、集水した雨水が植栽基盤土層の植栽マット体に給水される構成で設置される防潮堤面の緑化システムを示したものである。なお、雨水受容器内の底部は、雨水が植栽基盤土層側に流れるように傾斜状に形成され、流水口１９から雨水が植栽基盤土層に流水するがゴミ等で流水口が詰まことのないように吸出し防止マット２０が全面に敷詰められている雨水受容器１８である。
【００２２】
図８は、防潮堤面の緑化システムを防潮堤面へ設置し、植栽緑化した状態を示す実地例である。防潮堤面へ設置された防潮堤面の緑化システムは、図１〜図７の手順で形成され、植栽容器１１内に植生基盤土２１とともに宿根草や蔦植物２２等を植栽して防潮堤面の緑化を図る。植栽容器を植栽マット体に密着固定することにより植栽容器の後面部は植栽基盤土層に密着一体化し、植栽された植物が生育するとともに植物根が植栽容器から植栽基盤土層に伸長し、強風や振動で植栽物が倒伏することもなく長期緑化が望める。
【００２３】
上記の防潮堤面への緑化は、植栽基盤土層を植栽マット体で形成することにより風雨等で植栽基盤土が流失することがなく、当該植栽基盤土層面に設置される植栽容器は、雨水を取り入れる雨水受部と貯水槽が形成されており、後面板の連通溝からは植栽基盤土層に給水と植物根の伸長が可能に形成されており、植栽容器に植栽された植物は、急勾配なコンクリート等の防潮堤面でも早期緑化と長期的緑化が可能な防潮堤面の緑化方法である。
【産業上の利用可能性】
【００２４】
本防潮堤面の緑化システムを用いた防潮堤面の緑化は、防潮堤に限らず各壁面の早期緑化を実現するとともに長期的緑化も可能とする緑化システムであり、周囲の自然環境調和と景観の保全を図り、ヒートアイランド現象の発生を防止できる自然環境の復元方法として今後利用される可能性の高い防潮堤面の緑化システムである。
【符号の説明】
【００２５】
１    溝付支柱
２    傾斜型流通溝
３    防潮堤面
４    山型止金具
５    コンクリート・アンカープラグ
６    全ネジボルト
７    ワッシャー付ナット
８    ３センチ厚の植栽マット体
９    ２センチ厚の植栽マット体
１０    ワッシャー付固定ネジ
１１    植栽容器
１２    表面部板
１３    雨水受部
１４    後面板
１５    連通溝
１６    軽石
１７    吸水シート
１８    雨水受容器
１９    流水口
２０    吸出し防止マット
２１    植生基盤土
２２    宿根草や蔦植物
【図１】
0006313351.tif 000002
【図２】
0006313351.tif 000003
【図３】
0006313351.tif 000004
【図４】
0006313351.tif 000005
【図５】
0006313351.tif 000006
【図６】
0006313351.tif 000007
【図７】
0006313351.tif 000008
【図８】
0006313351.tif 000009